【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
遊技用プログラムを格納する第１の記憶手段と，該第１の記憶手段に格納された遊技用プログラムの正当性を判別するための正当性判定プログラムを格納する第２の記憶手段と，前記第２の記憶手段に格納された正当性判定プログラムを実行し，前記第１の記憶手段に格納された遊技用プログラムの正当性が認められた場合に前記第１の記憶手段に格納された遊技用プログラムの実行を許容する正当性判定手段と，該正当性判定手段によって前記遊技用プログラムの実行が許容されたことに基づいて前記第１の記憶手段に格納された遊技用プログラムを実行する遊技実行手段とを少なくとも含むプログラム実行手段と，該プログラム実行手段の制御下で，遊技過程における制御動作を実行するための外部制御装置と端子点を介して接続され，通信処理を実行する通信手段を有する遊技機用演算処理装置において，
前記遊技機用演算処理装置は，前記端子点を介して前記遊技用プログラムの正当性を判定する為の確認装置と接続可能であって，
前記正当性判定手段は，前記端子点を介して接続された前記確認装置からの遊技用プログラム吐出要求に応答して遊技用プログラムを前記通信手段を介して前記確認装置に送出するプログラム吐出手段と，
不揮発性メモリによって構成され，前記プログラム吐出手段の作動回数を計数記憶する吐出回数記憶手段と，
前記吐出回数記憶手段の計数記憶値が予設定値に到達したことを判別すると前記プログラム実行手段を不能動化する不能動化手段と，を具備したことを特徴とする遊技機用演算処理装置。
【請求項２】
遊技用プログラムを格納する第１の記憶手段と，該第１の記憶手段に格納された遊技用プログラムの正当性を判別するための正当性判定プログラムを格納する第２の記憶手段と，前記第２の記憶手段に格納された正当性判定プログラムを実行し，前記第１の記憶手段に格納された遊技用プログラムの正当性が認められた場合に前記第１の記憶手段に格納された遊技用プログラムの実行を許容する正当性判定手段と，該正当性判定手段によって前記遊技用プログラムの実行が許容されたことに基づいて前記第１の記憶手段に格納された遊技用プログラムを実行する遊技実行手段とを少なくとも含むプログラム実行手段と，該プログラム実行手段の制御下で，遊技過程における制御動作を実行するための外部制御装置と端子点を介して接続され，通信処理を実行する通信手段を有する遊技機用演算処理装置において，
前記遊技機用演算処理装置は，前記端子点を介して前記遊技用プログラム及び遊技機用演算処理装置の正当性を判定する為の確認装置と接続可能であって，
前記正当性判定手段は，前記確認装置の正当性を判定する識別手段と，
前記端子点を介して接続された前記確認装置による前記遊技機用演算処理装置の認証及び前記識別手段による前記確認装置の認証がなされたことを条件として，前記端子点を介して接続された前記確認装置からの遊技用プログラム吐出要求に応答して遊技用プログラムを前記通信手段を介して前記確認装置に送出するプログラム吐出手段と，
不揮発性メモリによって構成され，前記プログラム吐出手段の作動回数を計数記憶する吐出回数記憶手段と，
前記吐出回数記憶手段の計数記憶値が予設定値に到達した場合或いは前記識別手段による前記確認装置の認証が否定された場合に前記プログラム実行手段を不能動化する不能動化手段と，を具備することを特徴とする遊技機用演算処理装置。
【手続補正２】
【補正対象書類名】明細書
【補正対象項目名】０００３
【補正方法】変更
【補正の内容】
【０００３】
【発明が解決しようとする課題】
このようなプログラム制御される装置が増大した現在の遊技機は従前の様な釘調整よりも遊技プログラムの如何によって遊技機の性格が決定されるため，遊技機開発メーカとしては，限られたプログラムエリアの中により多彩な表現を盛り込み，競合他メーカとの差別化を図りたいという要望があるが，上記の様に遊技機用演算処理装置は遊技用のメインプログラムの進行制御の他にも，表示制御装置への表示図柄の指示や，排出制御装置への賞球数の指示等も実行している為，これらの外部デバイスに対する通信タイミングの制御等の処理的な負担が加わるのが現状であり，これら外部デバイスとの間の通信に要する負担を極力減らし，本来の遊技用メインプログラムの進行管理により多くの能力を割り当てたいという要望がある。


【手続補正３】
【補正対象書類名】明細書
【補正対象項目名】０００６
【補正方法】変更
【補正の内容】
【０００６】
ところで，このようなセキュリティ機能は遊技店側が夜間にＲＯＭ交換等を行うことを防止する必要上生まれたものであり，暗号化アルゴリズムの漏泄を伴う様な不正行為がなされた場合には必ずしも万全ではなく，セキュリティ機能をより高める為には検査機関による不定期な立入検査が不可欠である。立ち入り検査としては封印シールの剥離痕跡を目視確認する等の方法も可能であるが，より完全なセキュリティ機能を持たせ或いは改竄の抑止力を向上させる為には実際にプログラムを読み出してマスタプログラムと照合確認することが望まれる。しかしながら，ワンチップマイクロコンピュータ化された遊技機用演算処理装置を検査装置に装着する場合，ピン数が多大であるため，検査のためにチップの抜き差しをする際にピンを突き曲げてしまう等の問題が生じ，より容易に立ち入り検査を行える様な体制の完備が望まれていた。そこで，本発明はチップの抜き差しを行うこと無く外部制御装置との間でデータ通信を行う通信手段を流用して確認装置に対して遊技用プログラムを吐出することが出来る様にした遊技機用演算処理装置を提供することを目的とする。


【手続補正４】
【補正対象書類名】明細書
【補正対象項目名】０００７
【補正方法】変更
【補正の内容】
【０００７】
【課題を解決するための手段】
先ず，図１乃至図６を参照して本発明の構成を原理的に説明する。図１に示す様に，本発明に係る遊技機用演算処理装置は，
遊技用プログラム１を格納する第１の記憶手段２と，該第１の記憶手段２に格納された遊技用プログラム１の正当性を判別するための正当性判定プログラム３を格納する第２の記憶手段４と，前記第２の記憶手段４に格納された正当性判定プログラム３を実行し，前記第１の記憶手段２に格納された遊技用プログラム１の正当性が認められた場合に前記第１の記憶手段２に格納された遊技用プログラム１の実行を許容する正当性判定手段５と，該正当性判定手段５によって前記遊技用プログラム１の実行が許容されたことに基づいて前記第１の記憶手段２に格納された遊技用プログラム１を実行する遊技実行手段６とを少なくとも含むプログラム実行手段７と，該プログラム実行手段７の制御下において，遊技過程における制御動作を実行するための外部制御装置８との間で通信処理を実行する通信手段９を備えている。
【手続補正５】
【補正対象書類名】明細書
【補正対象項目名】０００８
【補正方法】変更
【補正の内容】
【０００８】
第１の記憶手段に格納された遊技用プログラム１を遊技実行手段６が実行するに先だって正当性判定手段５が第２の記憶手段に格納された正当性判定プログラム３を実行し，その正当性が認められた場合にのみ遊技用プログラム１の実行が許容される。遊技用プログラム１の実行過程で例えば特別図柄表示装置の表示制御を行う為の表示制御装置等の外部制御装置８はプログラム実行手段７の制御下で各々の制御動作を実行するが，通信処理は独立した通信手段が行うので，プログラム処理に要する時間や通信制御の為のプログラムを節約することが出来る。


【手続補正６】
【補正対象書類名】明細書
【補正対象項目名】０００９
【補正方法】変更
【補正の内容】
【０００９】
図２に示す様に，前記通信手段９は，前記プログラム実行手段７から前記外部制御装置８に対する送信データを一時記憶する送信データ記憶手段１０と，前記送信データ記憶手段１０に一時記憶された送信データを前記外部制御装置８に対して送出するデータ送信手段１１と，前記外部制御装置８から前記プログラム実行手段７に対する受信データを一時記憶する受信データ記憶手段１２と，前記受信データ記憶手段１２に一時記憶する前記外部制御装置からの受信データを受信するデータ受信手段１３と，前記送信データ記憶手段１０が送信データを保有することを記憶する送信状態記憶手段１４と，前記受信データ記憶手段１２が受信データを保有することを記憶する受信状態記憶手段１５と，少なくとも，前記データ受信手段１３が前記外部制御装置８からの受信データを受け付けると前記受信状態記憶手段１５のセットと前記受信データの前記受信データ記憶手段１２に対する書込を行うとともに，前記送信状態記憶手段１５がセットされたことに基づき前記送信データ記憶手段１０に書き込まれている送信データを前記データ送信手段１１から送出させる送受信制御手段１６とを具備する。


【手続補正７】
【補正対象書類名】明細書
【補正対象項目名】００１０
【補正方法】変更
【補正の内容】
【００１０】
図１に示されるプログラム実行手段は７は，外部制御装置８に対してデータを送出する場合には図２に示される通信手段９の送信状態記憶手段１４をセットするとともに送信データ記憶手段１０に対して送信データを書き込めば送受信制御手段１６は送信データ記憶手段１０内の送信データをデータ送信手段１１から外部制御装置８に対して送出し，又，受信状態記憶手段１５がセットされた場合には受信データ記憶手段１２に書き込まれた受信データを取り込む様にすればよいので，外部制御装置８との間の通信をチップ内デバイスとのデータ交信と同様の手順で行うことが可能となる。


【手続補正８】
【補正対象書類名】明細書
【補正対象項目名】００１１
【補正方法】変更
【補正の内容】
【００１１】
又，図３に示される様に，前記遊技機用演算処理装置は，前記通信手段９を前記外部制御装置８と接続するための端子点１７を介して前記遊技用プログラム１の正当性を判定する為の確認装置１８と接続可能であって，前記正当性判定手段５は，前記端子点１７を介して接続された前記確認装置１８からの遊技用プログラム吐出要求に応答して遊技用プログラム１を前記通信手段９を介して前記確認装置１８に送出するプログラム吐出手段１９を具備する。


【手続補正９】
【補正対象書類名】明細書
【補正対象項目名】００１２
【補正方法】変更
【補正の内容】
【００１２】
即ち，第１の記憶手段２に格納された遊技用プログラム１の正当性を判定する為の確認装置１８に対して遊技用プログラム１を送出するに際して前記外部制御装置８と通信手段９とを接続するための端子点１７を兼用使用するのでチップの着脱に伴うＩＣピンの損傷等のトラブルも無く，遊技機用演算処理装置を基盤上から着脱する必要がないことから，遊技機用演算処理装置チップを基盤上に半田付けすることが可能となり，装置の信頼性も向上する。


【手続補正１０】
【補正対象書類名】明細書
【補正対象項目名】００１３
【補正方法】変更
【補正の内容】
【００１３】
又，本発明の遊技機用演算処理装置は，図４に示す様に，不揮発性メモリによって構成され，前記プログラム吐出手段１９の作動回数を計数記憶する吐出回数記憶手段２０を具備するとともに，前記正当性判定手段５は，前記吐出回数記憶手段２０の計数記憶値が予設定値に到達したことを判別すると前記プログラム実行手段７を不能動化する不能動化手段２１を具備する。


【手続補正１１】
【補正対象書類名】明細書
【補正対象項目名】００１４
【補正方法】変更
【補正の内容】
【００１４】
図４のごとくなすことにより，不揮発性メモリによって構成された吐出回数記憶手段２０がプログラム吐出手段１９の作動回数，即ち，確認装置１８によって遊技用プログラム１の正当性の確認操作を行った回数を計数記憶し，その計数記憶値が予設定値に達すると不能動化手段２１がプログラム実行手段７を不能動化することが出来る。従って，遊技用プログラム１の解読等の目的を以て遊技用プログラム１の吐出を試みることが困難になり，プログラムの保全性が向上する。
【手続補正１２】
【補正対象書類名】明細書
【補正対象項目名】００１５
【補正方法】変更
【補正の内容】
【００１５】
又，本発明の請求項２記載の遊技機用演算処理装置は，図５に示す様に，前記遊技機用演算処理装置は，前記通信手段９を前記外部制御装置８と接続するための端子点１７を介して前記遊技用プログラム１及び遊技機用演算処理装置の正当性を判定する為の確認装置１８と接続可能であって，前記正当性判定手段５は，前記確認装置１８の正当性を判定する識別手段２２を具備し，前記正当性判定手段５は，前記端子点１７を介して接続された前記確認装置１８による前記遊技機用演算処理装置の認証及び前記識別手段２２による前記確認装置１８の認証がなされたことを条件として，前記端子点１７を介して接続された前記確認装置１８からの遊技用プログラム吐出要求に応答して遊技用プログラム１を前記通信手段９を介して前記確認装置１８に送出するプログラム吐出手段１９を具備する。


【手続補正１３】
【補正対象書類名】明細書
【補正対象項目名】００１６
【補正方法】変更
【補正の内容】
【００１６】
このようにした場合，確認装置１８側での遊技機の認証及び遊技機側での識別手段２２による確認装置１８の認証が行われることを条件に遊技用プログラム１の吐出がなされるので，遊技用プログラムの漏泄を有効に防止することが可能となる。


【手続補正１４】
【補正対象書類名】明細書
【補正対象項目名】００１７
【補正方法】変更
【補正の内容】
【００１７】
更に，請求項２記載の遊技機用演算処理装置は，上記を前提として，図６に示す様に，不揮発性メモリによって構成され，前記プログラム吐出手段１９の作動回数を計数記憶する吐出回数記憶手段２０を具備するとともに，前記正当性判定手段５は，前記吐出回数記憶手段２０の計数記憶値が予設定値に到達した場合或いは前記識別手段２２による前記確認装置１８の認証が否定された場合に前記プログラム実行手段７を不能動化する不能動化手段２１を具備する。


【手続補正１５】
【補正対象書類名】明細書
【補正対象項目名】００１８
【補正方法】変更
【補正の内容】
【００１８】
即ち，不揮発性メモリによって構成された吐出回数記憶手段２０がプログラム吐出手段１９の作動回数を計数記憶し，その計数記憶値が予設定値に達すると不能動化手段２１がプログラム実行手段７を不能動化するとともに，更に識別手段２２による確認装置の認証がとれなかった場合にもプログラム実行手段７が不能動化されるので，遊技用プログラムの解読等の目的を以て遊技用プログラムの吐出を試みることが困難になり，プログラムの保全性が向上する


【手続補正１６】
【補正対象書類名】明細書
【補正対象項目名】００４３
【補正方法】変更
【補正の内容】
【００４３】
さてここまでは確認装置７８を装着しなかった場合の動作であり，次に確認装置７８を装着した場合の動作を説明する。確認装置７８は図７に示す排出制御装置４２を接続するためのコネクタを使用して装着される。従って，確認装置７８を接続するに際しては排出制御装置４２のコネクタを抜き取り，そこに確認装置７８を装着し，遊技機用演算処理装置３２の電源を立ち上げる。


【手続補正１７】
【補正対象書類名】明細書
【補正対象項目名】００４６
【補正方法】変更
【補正の内容】
【００４６】
ステップＳ８で送出回数メモリが設定値以下であると，ステップＳ１０で役物コード（遊技機のＩＤコード）の送出処理を実行する。より具体的には通信制御装置５７のコマンドレジスタ７１をセットするとともに送信データバッファ６８に対して役物コードを書き込む。通信制御装置５８側では送受信コントローラ７５はコマンドレジスタ７１がセットされると送信データバッファ６８に書き込まれた役物コードをトランスミッタ７３を介して確認装置７８のコネクタ８０にシリアル伝送する。


【手続補正１８】
【補正対象書類名】明細書
【補正対象項目名】００５１
【補正方法】変更
【補正の内容】
【００５１】
【発明の効果】
請求項１記載の発明によれば，第１の記憶手段に格納された遊技用プログラムの正当性を判定する為に確認装置に対して遊技用プログラムを送出するに際して前記外部制御装置と通信を行う為の通信手段を接続するための端子点を兼用使用するのでチップの着脱に伴うＩＣピンの損傷等のトラブルも無く，遊技機用演算処理装置を基盤上から着脱する必要がないことから，遊技機用演算処理装置チップを基盤上に半田付けすることが可能となり，装置の信頼性も向上する。
また，不揮発性メモリによって構成された吐出回数記憶手段がプログラム吐出手段の作動回数，即ち，確認装置によって遊技用プログラムの正当性の確認操作を行った回数を計数記憶し，その計数記憶値が予設定値に達すると不能動化手段がプログラム実行手段を不能動化することが出来るので，遊技用プログラムの解読等の目的を以て遊技用プログラムの吐出を試みることが困難になり，プログラムの保全性が向上する。
請求項２による場合，第１の記憶手段に格納された遊技用プログラムの正当性を判定する為に確認装置に対して遊技用プログラムを送出するに際して前記外部制御装置と通信を行う為の通信手段を接続するための端子点を兼用使用するのでチップの着脱に伴うＩＣピンの損傷等のトラブルも無く，遊技機用演算処理装置を基盤上から着脱する必要がないことから，遊技機用演算処理装置チップを基盤上に半田付けすることが可能となり，装置の信頼性も向上する。
また，確認装置側での遊技機の認証及び遊技機側での識別手段による確認装置の認証が行われることを条件に遊技用プログラムの吐出がなされるので，遊技用プログラムの漏泄を有効に防止することが可能となる。
更に，請求項１と同様に不揮発性メモリによって構成された吐出回数記憶手段がプログラム吐出手段の作動回数を計数記憶し，その計数記憶値が予設定値に達すると不能動化手段がプログラム実行手段を不能動化するとともに，更に識別手段による確認装置の認証がとれなかった場合にもプログラム実行手段が不能動化されるので，遊技用プログラムの解読等の目的を以て遊技用プログラムの吐出を試みることが困難になり，プログラムの保全性が更に向上する。
【手続補正１９】
【補正対象書類名】明細書
【補正対象項目名】００５２
【補正方法】削除
【補正の内容】
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】